(57)【要約】【課題】内容物を保持するための部材を有する形態でありながら、一枚のブランクにより簡単に組み立てることができる収納箱を提供すること。【解決手段】サック貼りした１枚のブランクを組み立てて形成される収納箱であって、角筒状をした胴部を周回する状態でそれぞれの面を横断する屈曲部分１２ａ，１２ｂが設けられており、胴部の両端にはそれぞれ蓋パネル１７，１８が設けられ、少なくとも一方の蓋パネルに対向して延長パネル２４，２５が設けられており、角筒状の胴部を縮めることにより、屈曲部分がそれぞれ内部にＶ字状に突き出して内容物の胴部を保持するための突出部が形成されるとともに、延長パネルを内部に折り込んで内容物の端部を保持するようになっている。角筒状の胴部を縮めるとともに、延長パネルを内部に折り込むという簡単な操作で組み立てられる。【選択図】図４
2008195414.tif 000002
【特許請求の範囲】
【請求項１】
サック貼りした１枚のブランクを組み立てて形成される収納箱であって、角筒状をした胴部を周回する状態でそれぞれの面を横断する屈曲部分が設けられており、胴部の両端にはそれぞれ蓋パネルが設けられ、少なくとも一方の蓋パネルに対向して延長パネルが設けられており、角筒状の胴部を縮めることにより、屈曲部分がそれぞれ内部にＶ字状に突き出して内容物の胴部を保持するための突出部が形成されるとともに、延長パネルを内部に折り込んで内容物の端部を保持するようになっていること特徴とする収納箱。
【発明の詳細な説明】
【技術分野】
【０００１】
本発明は、板紙からなる収納箱の分野に属し、詳しくは、物品を安全に収納できるようにした収納箱に関するものである。
【背景技術】
【０００２】
従来より、商品を始めとする種々の物品を搬送するに際しては、当該物品を板紙製の収納箱に入れるようにしている。そして、壊れやすい物品の場合は、これを搬送中の振動や衝撃から守って安全に収納するため、箱に中仕切を入れたり箱と物品との隙間にクッション材を詰めたりすることが広く一般的に行われている。
【特許文献１】特開平８−３４４２９号公報
【特許文献２】特開平１１−４９１４５号公報
【特許文献３】特開２０００−１２８１５０号公報
【発明の開示】
【発明が解決しようとする課題】
【０００３】
上記したように、従来の収納箱では、箱に中仕切をセットしたり箱と物品の隙間にクッション材を入れることで内容物の安全を図っている。ところが、中仕切やクッション材として箱本体とは別の部材を揃えておく必要があるため、これらの部材の管理が面倒であるし、箱の組立も煩わしいという問題がある。特に、発泡スチロール等のクッション材は廃棄する場合にも問題が多い。
【０００４】
本発明は、このような事情や問題点に鑑みてなされたものであり、その目的とするところは、内容物を保持するための部材を有する形態でありながら、一枚のブランクにより簡単に組み立てることができる収納箱を提供することにある。
【課題を解決するための手段】
【０００５】
上記の目的を達成するため、本発明の収納箱は、サック貼りした１枚のブランクを組み立てて形成される収納箱であって、角筒状をした胴部を周回する状態でそれぞれの面を横断する屈曲部分が設けられており、胴部の両端にはそれぞれ蓋パネルが設けられ、少なくとも一方の蓋パネルに対向して延長パネルが設けられており、角筒状の胴部を縮めることにより、屈曲部分がそれぞれ内部にＶ字状に突き出して内容物の胴部を保持するための突出部が形成されるとともに、延長パネルを内部に折り込んで内容物の端部を保持するようになっていること特徴としている。
【０００６】
この構成からなる収納箱によれば、サック貼りしたブランクを角筒状に起こし、その角筒状の胴部を縮めるとともに、延長パネルを内部に折り込むという簡単な操作により、内容物の胴部を保持するための突出部を形成し、さらに延長パネルにより内容物の端部を保持することができる。
【発明の効果】
【０００７】
本発明の収納箱によれば、内容物の胴部を保持する突出部を有し、さらに内容物の端部を保持するようになった形態の収納箱を一枚のブランクにより簡単に組み立てることができるので、別部材の中仕切やクッション材を用いることなく、内容物を安全に収納することができる。
【発明を実施するための最良の形態】
【０００８】
次に、本発明の好適な実施形態について図面を参照しながら詳細に説明する。
【０００９】
図１は本発明に係る収納箱の一実施例を蓋を開けた状態で示す斜視図、図２は図１の収納箱を形成するブランクの展開図、図３〜図４は図２のブランクを組み立てる途中の状態を示す斜視図である。
【００１０】
図１に示す収納箱Ａ1 は、図２に示す１枚のブランクＢ1 を組み立てて形成される。このブランクＢ1 は、板紙を打ち抜いたもので、図示のように、折線ａ，ｂ，ｃ，ｄを介して、角筒状の胴部を形成するための糊代片１１、前面パネル１２、側面パネル１３、背面パネル１４、側面パネル１５が順次連設されている。なお、このブランクＢ1 においては前面パネル１２、側面パネル１３、背面パネル１４及び側面パネル１５の幅が略同じで、収納箱Ａ1 は横断面が正方形となっているが、これに限るものではなく長方形であっても構わない。
【００１１】
そして、胴部の上下を閉じるため、背面パネル１４の上辺には折線ｅを介して上蓋パネル１６が連設され、この上蓋パネル１６には折線ｆを介して差込みフラップ１７が連設されており、下辺には折線ｇを介して下蓋パネル１８が連設され、この下蓋パネル１８には折線ｈを介して差込みフラップ１９が連設されている。また、側面パネル１３の上下辺にはそれぞれ折線ｉ，ｊを介して折込み片２０，２１が連設され、側面パネル１５の上下片にはそれぞれ折線ｋ，ｌを介して折込み片２２，２３が連設されている。
【００１２】
ブランクＢ1 には、糊代片１１、前面パネル１２、側面パネル１３、背面パネル１４及び側面パネル１５のすべてを横断するようにして中程に３本の折線ｍ，ｎ，ｏが所定の等間隔で形成されており、これらの折線ｍ，ｎ，ｏにより、前面パネル１２には屈曲部分１２ａ，１２ｂが区画され、側面パネル１３には屈曲部分１３ａ，１３ｂが区画され、背面パネル１４には屈曲部分１４ａ，１４ｂが区画され、側面パネル１５には屈曲部分１５ａ，１５ｂがそれぞれ区画されている。そして、前面パネル１２の屈曲部分１２ａ，１２ｂにはその両端に折線ａ，ｂをそれぞれ底辺とし折線ｎ上を頂点とする直角二等辺三角形状の開口１２ｃが形成されており、同様に背面パネル１４の屈曲部分１４ａ，１４ｂにもその両端に折線ｃ，ｄそれぞれ底辺とし折線ｎ上を頂点とする直角二等辺三角形状の開口１４ｃが形成されている。
【００１３】
また、ブランクＢ1 は、前面パネル１２の上辺に折線ｐを介して幅が僅かに短くなった延長パネルを連設している。この延長パネルは、折線ｐに連設した高さ調整パネル２４とそれに折線ｑを介して連設した保持パネル２５とから構成されており、このうち保持パネル２５は側面パネル１３，１５の幅に略等しい長さになっている。したがって、保持パネル２５は胴部にちょうど入るサイズであり、その中央には内容物を保持するための円形孔２５ａが設けられ、さらにコーナーには保持パネル２５を引き出すために指先が入るサイズの切欠２５ｂが設けられている。この例では、前述のように、前面パネル１２、側面パネル１３、背面パネル１４及び側面パネル１５の幅が略同じであるので、保持パネル２５は略正方形になる。
【００１４】
ブランクＢ1 における折線ｍ，ｎ，ｏは、その折曲げやすさを考慮して、前面パネル１２、側面パネル１３、背面パネル１４及び側面パネル１５のところでは押し罫の途中に切込み線のあるリード罫で構成されており、糊代片１１のところでは連続する２つの切込線で構成されている。また、延長パネルを構成する高さ調整パネル２４と保持パネル２５の境界にある折線ｑもリード罫で形成されいる。
【００１５】
上記のブランクＢ1 はサック貼りして供給する。すなわち、折線ｂ，ｄで折り曲げ、糊代片１１を側面パネル１５の端縁裏側に貼りつけた扁平状態とする。そして、箱詰め工程において、サック貼りしたブランクＢ1 を図３に示す如く角筒状に起こしてから、前面パネル１２の屈曲部分１２ａ，１２ｂ、側面パネル１３の屈曲部分１３ａ，１３ｂ、背面パネル１４の屈曲部分１４ａ，１４ｂ、側面パネル１５の屈曲部分１５ａ，１５ｂがそれぞれ内部にＶ字状に突き出るようにして角筒状の胴部を上下方向に縮める。そして、この縮めた状態で保持するため、図示はしてないが、縮めた各パネル１２，１３，１４，１５における棚板に対応する表面側に粘着テープを貼付する。或いは、重なる屈曲部分をホットメルト等の接着剤で固定する。これにより、図４に示すように、各パネル１２，１３，１４，１５の屈曲部分により同じ高さで向かい合う突出部が形成される。
【００１６】
このように胴部を縮めて内部に突出部を形成した後、内容物を入れてその胴部を突出部により保持させてから、図４に示すように、延長パネルを内部に折り込んで内容物の端部と係合させる。この例では保持パネル２５の円形孔２５ａの部分で内容物を押さえる。すなわち、保持パネル２５を高さ調整パネル２４に対して折り曲げながら、高さ調整パネル２４を前面パネル１２の裏側に当接させるようにして保持パネル２５を内容物の上に載置する。これにより、内容物は胴部を突出部で保持されるとともに、端部を保持パネル２５により押されて固定された状態となる。そして、このように内容物を安全に収納した後、下蓋パネル１８と上蓋パネル１６を閉じることで箱詰め状態とする。
【００１７】
なお、この例では、前面パネル１２と背面パネル１４の屈曲部分にのみ直角二等辺三角形状の開口１２ｃ，１４ｃを設けており、隣接する突出部同士が噛み合って固定されるようになっているが、別の形態として、側面パネル１３，１５にも同様な開口を設けることにより、突起部は固定されなくなるので、突起部は斜めになって内容物を支えることも可能となる。
【００１８】
図１に示す形状の収納箱Ａ1 は、上下に細長いので、例えば、各種飲料用の瓶類、花瓶などを収納することができる。
【００１９】
図５は本発明に係る収納箱の別の実施例を蓋を開けた状態で示す斜視図、図６は図５の収納箱を形成するブランクの展開図、図７〜図８は図６のブランクを組み立てる途中の状態を示す斜視図である。
【００２０】
図５に示す収納箱Ａ2 は、図６に示す１枚のブランクＢ2 を組み立てて形成される。このブランクＢ2 は、板紙を打ち抜いたもので、図示のように、折線ａ，ｂ，ｃ，ｄを介して、角筒状の胴部を形成するための糊代片３１、前面パネル３２、側面パネル３３、背面パネル３４、側面パネル３５が順次連設されている。なお、このブランクＢ2 においては前面パネル３２、側面パネル３３、背面パネル３４及び側面パネル３５の幅が略同じで、収納箱Ａ2 は横断面が正方形となっているが、これに限るものではなく長方形であっても構わない。
【００２１】
そして、胴部の上下を閉じるため、背面パネル３４の上辺には折線ｅを介して上蓋パネル３６が連設され、この上蓋パネル３６には折線ｆを介して差込みフラップ３７が連設されており、下辺には折線ｇを介して下蓋パネル３８が連設され、この下蓋パネル３８には折線ｈを介して差込みフラップ３９が連設されている。また、側面パネル３３の上下辺にはそれぞれ折線ｉ，ｊを介して折込み片４０，４１が連設され、側面パネル３５の上下片にはそれぞれ折線ｋ，ｌを介して折込み片４２，４３が連設されており、これらの折込み片のうち上側の折込み片４０，４２には後述するようにそれぞれ縦パネルと押えパネルが連設されている。
【００２２】
ブランクＢ2 には、糊代片３１、前面パネル３２、側面パネル３３、背面パネル３４及び側面パネル３５のすべてを横断するようにして中程に３本の折線ｍ，ｎ，ｏが所定の等間隔で形成されており、これらの折線ｍ，ｎ，ｏにより、前面パネル３２には屈曲部分３２ａ，３２ｂが区画され、側面パネル３３には屈曲部分３３ａ，３３ｂが区画され、背面パネル３４には屈曲部分３４ａ，３４ｂが区画され、側面パネル３５には屈曲部分３５ａ，３５ｂがそれぞれ区画されている。そして、前面パネル３２の屈曲部分３２ａ，３２ｂにはその両端に折線ａ，ｂをそれぞれ底辺とし折線ｎ上を頂点とする直角二等辺三角形状の開口３２ｃが形成されており、同様に背面パネル３４の屈曲部分３４ａ，３４ｂにもその両端に折線ｃ，ｄそれぞれ底辺とし折線ｎ上を頂点とする直角二等辺三角形状の開口３４ｃが形成されている。
【００２３】
また、ブランクＢ2 は、前面パネル３２の上辺に折線ｐを介して幅が僅かに短くなった延長パネルを連設している。この延長パネルは、折線ｐに連設した高さ調整パネル４４と、それに折線ｑ，ｒを介して順次連設した保持パネル４５、高さ調整パネル４６とから構成されており、このうち保持パネル４５は側面パネル３３，３５の幅に略等しい長さで、これよりはるかに短い高さ調整パネル４４，４６は２つが同じ長さになっている。したがって、保持パネル４５は高さ調整パネル４４，４６により一段下がって胴部にちょうど入るサイズである。そして、保持パネル４５にはその中央に内容物を保持するための円形孔４５ａが設けられ、さらに円形孔４５ａ周りには複数のスリットが放射状に等間隔で設けられている。この例では、前述のように、前面パネル３２、側面パネル３３、背面パネル３４及び側面パネル３５の幅が略同じであるので、保持パネル４５は略正方形になる。
【００２４】
そして、このブランクＢ2 では、前述したように、上側の折込みパネル４０に、折線ｓ，ｔを介して順に縦パネル４７と押えパネル４８が連設され、折込みパネル４２にも、折線ｕ，ｖ介して順に縦パネル４９と押えパネル５０が連設されており、各パネルの長さは、縦パネル４７，４９が延長パネルの高さ調整パネル４４，４６と略同じ長さであり、押えパネル４８，５０が折込みパネル４２より短い長さである。
【００２５】
ブランクＢ2 における折線ｍ，ｎ，ｏは、その折曲げやすさを考慮して、前面パネル３２、側面パネル３３、背面パネル３４及び側面パネル３５のところでは押し罫の途中に切込み線のあるリード罫で構成されており、糊代片３１のところでは連続する２つの切込線で構成されている。また、前面パネル３２の延長パネルにおける折線ｑ，ｒもリード罫で構成されており、折込みパネル４０の縦パネル４７と押えパネル４８を連設している折線ｓ，ｔと、、折込みパネル４２の縦パネル４９と押えパネル５０を連設している折線ｕ，ｖもそれぞれリード罫で構成されている。
【００２６】
上記のブランクＢ2 はサック貼りして供給する。すなわち、折線ｂ，ｄで折り曲げ、糊代片３１を側面パネル３５の端縁裏側に貼りつけた扁平状態とする。そして、箱詰め工程において、サック貼りしたブランクＢ2 を図７に示す如く角筒状に起こしてから、前面パネル３２の屈曲部分３２ａ，３２ｂ、側面パネル３３の屈曲部分３３ａ，３３ｂ、背面パネル３４の屈曲部分３４ａ，３４ｂ、側面パネル３５の屈曲部分３５ａ，３５ｂがそれぞれ内部にＶ字状に突き出るようにして角筒状の胴部を上下方向に縮める。そして、この縮めた状態で保持するため、図示はしてないが、縮めた各パネル３２，３３，３４，３５における棚板に対応する表面側に粘着テープを貼付する。或いは、重なる屈曲部分をホットメルト等の接着剤で固定する。これにより、図９に示すように、各パネル３２，３３，３４，３５の屈曲部分により同じ高さで向かい合う突出部が形成される。
【００２７】
このように胴部を縮めて内部に突出部を形成した後、内容物を入れてその胴部を突出部により保持させてから、図８に示すように、延長パネルを内部に折り込んで内容物の端部と係合させる。保持パネル４５を高さ調整パネル４４に対して折り曲げながら、高さ調整パネル４４を前面パネル３２の裏側に当接させ、もう一方の高さ調整パネル４６を背面パネル３４の裏側に当接させるようにして保持パネル２５を内容物の上に載置する。次いで、縦パネル４７と押えパネル４８を折り込むようにして折込みパネル４０を内側に倒すとともに、縦パネル４９と押えパネル５０を折り込むようにして折込みパネル４２を内側に倒して、図５の如く保持パネル２５を上方から押さえるようにする。これにより、内容物は胴部を突出部で保持されるとともに、端部を保持パネル２５により押されて固定された状態となる。そして、このように内容物を安全に収納した後、下蓋パネル３８と上蓋パネル３６を閉じることで箱詰め状態とする。これにより、保持パネル２５は、折込み片４０に連設した縦パネル４７と押えパネル４８、折込み片４２に連設した縦パネル４９と押えパネル５０により押さえられて浮くことがなく、内容物をしっかりと上から押さえた状態となる。
【００２８】
なお、この例でも、前面パネル３２と背面パネル３４の屈曲部分にのみ直角二等辺三角形状の開口３２ｃ，３４ｃを設けており、隣接する突出部同士が噛み合って固定されるようになっているが、別の形態として、側面パネル３３，３５にも同様な開口を設けることにより、突起部は固定されなくなるので、突起部は斜めになって内容物を支えることも可能となる。
【００２９】
図５に示す形状の収納箱Ａ2 は、例えば、電球、ランプ等、口金とガラス本体を組み合わせた製品（光センサー、ブラウン管など）を収納することができる。すなわち、突出部により口金の部分を保持し、保持パネル２５によりガラス本体を押さえた状態で安全に収納できる。
【００３０】
以上、本発明の実施の形態について詳細に説明してきたが、本発明による収納箱は、上記実施の形態に何ら限定されるものではなく、本発明の趣旨を逸脱しない範囲において種々の変更が可能であることは言うまでもない。すなわち、収納する物品の形状や素材に合わせて、使用する用紙の種類、箱のサイズ等を適宜決めればよいものである。
【図面の簡単な説明】
【００３１】
【図１】本発明に係る収納箱の一実施例を蓋を開けた状態で示す斜視図である。
【図２】図１の収納箱を形成するブランクの展開図である。
【図３】図１の収納箱を組み立てる途中の状態で示す斜視図である。
【図４】図３に続く組立途中の状態を示す斜視図である。
【図５】本発明に係る収納箱の別の実施例を蓋を開けた状態で示す斜視図である。
【図６】図５の収納箱を形成するブランクの展開図である。
【図７】図５の収納箱を組み立てる途中の状態で示す斜視図である。
【図８】図７に続く組立途中の状態示す斜視図である。
【符号の説明】
【００３２】
Ａ1 ，Ａ2   収納箱
Ｂ1 ，Ｂ2   ブランク
ａ〜ｖ  折線
１１  糊代片
１２  前面パネル
１２ａ，１２ｂ  屈曲部分
１２ｃ  開口
１３  側面パネル
１３ａ，１３ｂ  屈曲部分
１４  背面パネル
１４ａ，１４ｂ  屈曲部分
１４ｃ  開口
１５  側面パネル
１５ａ，１５ｂ  屈曲部分
１６  上蓋パネル
１７  差込みフラップ
１８  下蓋パネル
１９  差込みフラップ
２０，２１  折込み片
２２，２３  折込み片
２４  高さ調整パネル
２５  保持パネル
２５ａ  円形孔
２５ｂ  切欠
３１  糊代片
３２  前面パネル
３２ａ，３２ｂ  屈曲部分
３２ｃ  開口
３３  側面パネル
３３ａ，３３ｂ  屈曲部分
３４  背面パネル
３４ａ，３４ｂ  屈曲部分
３４ｃ  開口
３５  側面パネル
３５ａ，３５ｂ  屈曲部分
３６  上蓋パネル
３７  差込みフラップ
３８  下蓋パネル
３９  差込みフラップ
４０，４１  折込み片
４２，４３  折込み片
４４  高さ調整パネル
４５  横仕切パネル
４６  高さ調整パネル
４７  縦パネル
４８  押えパネル
４９  縦パネル
５０  押えパネル
【図１】
2008195414.tif 000003
【図２】
2008195414.tif 000004
【図３】
2008195414.tif 000005
【図４】
2008195414.tif 000006
【図５】
2008195414.tif 000007
【図６】
2008195414.tif 000008
【図７】
2008195414.tif 000009
【図８】
2008195414.tif 000010